(57)【要約】【課題】  軸筒にグリップである弾性体を取り付けた場合における反射光によるデザイン性の低下を防止する筆記具用軸筒及びこの軸筒を用いたボールペンを提供する。【解決手段】  軸筒本体１０は有色透明で形成されており、軸筒本体１０の一部である突出部１１も有色透明となっている。また、弾性体２０も有色透明で形成されている。突出部１１は、軸筒本体１０の両側面に２箇所形成されており、各突出部１１は、弾性体２０に設けられた貫通孔２１から、突き出す形で露出している。弾性体２０は、突出部１１に存在する突出部縁部１１ｂを覆っているが、突出部１１の上部である突出部上部１１ａまでは覆っていない。突出部上部１１ａから突出部縁部１１ｂにかけて、突出部１１の外表面は曲面となっている。一方、弾性体２０もこの曲面に沿うようになっており、突出部１１と弾性体２０との接触面３０は曲面となっている。【選択図】  図４
2005144772.tif 000002
【特許請求の範囲】
【請求項１】
突出部が形成された軸筒本体と、軸筒本体のうちユーザーにより把持される部分に弾性体が２色成形若しくはインサート成形により設けられた筆記具用軸筒であって、
前記突出部及び／又は弾性体は透明若しくは半透明で形成され、
前記突出部の上部が、前記グリップに設けられた貫通孔において露出するするとともに、突出部の縁部は弾性体により覆われ、
前記突出部と弾性体との接触面を曲面としたことを特徴とする筆記具用軸筒。
【請求項２】
前記弾性体が透明若しくは半透明である場合において、突出部を除いた軸筒本体の外表面も曲面により形成したことを特徴とする請求項１記載の筆記具用軸筒。
【請求項３】
前記曲面の曲率は一定であることを特徴とする請求項１又は２に記載の筆記具用軸筒。
【請求項４】
前記突出部は、凸レンズ状となっていることを特徴とする請求項１乃至３のいずれかの項に記載の筆記具用軸筒。
【請求項５】
前記請求項１乃至４のいずれかの項に記載の筆記具用軸筒の内部に、リフィールを収納したボールペン。
【発明の詳細な説明】
【技術分野】
【０００１】
本発明は、筆記具に用いられる軸筒及びこの軸筒を用いたボールペンに関する。
【背景技術】
【０００２】
軸筒のうちユーザーにより把持される部分に、滑り止め等の目的のため弾性体が取り付けられた軸筒が例えば以下の特許文献１に開示されている。
【０００３】
【特許文献１】特開平１１−２４５５７５号公報
【０００４】
本特許文献１の図６には、グリップである弾性体が取り付けられた軸筒の断面図が示されている。この特許文献１の図６を、図８及び図９を用いて更に詳細に説明する。図８は、特許文献１の図６を示したものであり、図９は図８の要部を示す一部拡大断面図である。
軸筒１０１には、６箇所に中心から放射状にグリップ１２３が設けられている。グリップ１２３と軸筒１０１との接触面には、微細な凹凸が設けられることで凹凸係合なされている旨が開示されている。
グリップ１２３の周辺を更に拡大して示した図９を用いて追加説明を行う。近年、軸筒１０１は内部のインク残量が透視できる等の理由により透明若しくは半透明とされることが多い。このように透明若しくは半透明の場合、軸筒１０１を通して軸筒内部が視認できるようになる。一方、図９の矢印にも示すように、軸筒１０１の外方から内部を視認する角度によっては、グリップ１２３の側面が見えるようになる。
側面には平坦面１４０が複数形成されている。グリップ１２３の光沢度や、反射率、屈折率等にもよるが、図中矢印のように視線を向けると、グリップ１２３の側面から光線の反射を生じる。特に、側面が平坦で形成されていると、反射する光線の量も多くなる。反射光により色彩に濃淡が生じたりし、当初意図していたデザインとは異なる外観を呈するようになり、デザインを阻害する場合が生じるおそれがある。
また、グリップ１２３が透明若しくは半透明の場合も、グリップ１２３を通して、接触面を見ると、接触面から生じる反射光により、デザインを阻害する場合が生じるおそれがある。
【発明の開示】
【発明が解決しようとする課題】
【０００５】
そこで、本発明は、軸筒にグリップである弾性体を取り付けた場合における反射光によるデザイン性の低下を防止する筆記具用軸筒及びこの軸筒を用いたボールペンを提供することを課題とする。
【課題を解決するための手段】
【０００６】
本発明は、上記問題点に鑑みてなされたものであり、突出部が形成された軸筒本体と、軸筒本体のうちユーザーにより把持される部分に弾性体が２色成形若しくはインサート成形により設けられた筆記具用軸筒であって、前記突出部及び／又は弾性体は透明若しくは半透明で形成され、前記突出部の上部が、前記グリップに設けられた貫通孔において露出するするとともに、突出部の基部は弾性体により覆われ、前記突出部と弾性体との接触面を曲面としたことを第１の要旨とする。
更に、前記弾性体が透明若しくは半透明である場合において、突出部を除いた軸筒本体の外表面も曲面により形成したことを第２の要旨とする。
更に、上記曲面の曲率は一定であることを第３の要旨とする。
更に、前記突出部は、凸レンズ状となっていること第４の要旨とする。
更に、上記に記載の筆記具用軸筒の内部に、リフィールを収納したボールペンを第５の要旨とする。
【発明の効果】
【０００７】
本発明により、軸筒にグリップである弾性体を取り付けた場合における反射光によるデザイン性の低下を防止する筆記具用軸筒及びこの軸筒を用いたボールペンを提供することができる。
【発明を実施するための最良の形態】
【０００８】
以下本発明の実施の形態を図１から図７を用いて説明する。
図１は、本発明の第１の実施形態を示す正面図である。軸筒本体１０は円筒状に形成されており、軸筒本体１０の先端開口１２側のユーザーにより把持される部分には、弾性体２０が設けられている。弾性体２０は、いわゆる２色成形により設けられており、軸筒本体１０の射出成形後に、更に射出成形を行うことにより形成されている。なお、弾性体２０はインサート成形により形成することもできる。弾性体２０には、貫通孔２１が形成されており、この貫通孔２１から軸筒本体１０に形成され突出部１１が露出している。なお、突出部１１は軸筒本体１０を挟んで反対側にも形成されている。
なお、軸筒本体１０の材質としては、例えば、ポリカーボネート（ＰＣ）、アクリロニトリルスチレン（ＡＳ）、ポリエチレンテレフタレート（ＰＥＴ）、ポリスチレン（ＰＳ）、ポリプロピレン（ＰＰ）、アクリロニトリルブタジエンスチレン（ＡＢＳ）があり、弾性体２０に用いられる材質としては、例えば、ポリウレタン、シリコ−ンゴム、各種エラストマー、軟質プラスチックがある。また、軸筒本体１０の内部に後述のリフィールを収納した場合には、先端開口１２からリフィールの先端に設けられた筆記チップが突出する。
【０００９】
図２は、図１のＡ−Ａ線断面図である。軸筒本体１０の後端には後端開口１３が設けられ、軸筒１０の後端内壁には、雌ネジ部１４が形成されている。軸筒１０の前端内壁には複数の縦リブ１５が設けられ、内部に収納されるリフィールのがたつきを防止する。突出部１１は、本図のような縦断面において、その外表面が曲面で形成されており、また、図３にも示すような軸方向とは直角の断面においても、その外表面が曲面となっている。
【００１０】
図３は、図２のＢ−Ｂ線断面図である。軸筒本体１０は有色透明で形成されており、この結果、軸筒本体１０の一部である突出部１１も有色透明となっている。また、弾性体２０も有色透明で形成されている。突出部１１は、軸筒本体１０の両側面に２箇所形成されており、各突出部は、弾性体２０に設けられた貫通孔２１から、突き出す形で露出している。弾性体２０は、突出部１１の両側に存在する突出部縁部１１ｂを覆っているが、突出部１１の上部である突出部上部１１ａまでは覆っていない。
図３のＣ部を図４を用いて詳細に説明すると、突出部上部１１ａから突出部縁部１１ｂにかけて、突出部１１の外表面は曲面となっている。一方、弾性体２０もこの曲面に沿うようになっており、突出部１１と弾性体との接触面３０は曲面となっている。
このように接触面３０が曲面となっているため、図中矢印Ｅの方向より突出部１１を目視しても反射光が線状となり、平坦で形成されたときよりも反射光の量が減少し、デザインが阻害される可能性が減少する。
【００１１】
更に、軸筒本体１０の外表面（突出部１１を除いた外表面）も曲面により形成してある。このため、図中Ｆの方向より目視しても、前記の突出部１１の反射光と同様に、反射光が減少し、デザインが阻害される可能性が減少する。
更に、突出部１１の外表面の曲率は一定としてある。また、軸筒本体１０の外表面（突出部１１を除いた外表面）の曲率も一定としてある。このように、曲面の曲率を途中で変化させることなく、一定とすることで、射出成形時の金型加工が容易になるとともに、複雑な反射光も生じないようになる。
更に、突出部１１は凸レンズ状となっているため、内部が拡大され視認が良好となる。この結果、内部インク残量の視認等が良好となる。
なお、上記は、突出部１１及び弾性体２０が有色透明で形成された場合を示しているが、弾性体２０が透明若しくは半透明で、突出部１１が不透明であったとしても、弾性体２０を通して突出部１１を見たときは、突出部１１からの反射光が減じるため、デザイン阻害の可能性を減少させるという作用を発揮する。
【００１２】
図５は、第２の実施形態を示す断面図である。本実施形態では、弾性体２０が突出部１１を覆う量を多くしたものであり、また、突出部１１の上部を、弾性体２０の外表面の高さと同一としたものである。なお、図示はしないが、突出部１１の上部を弾性体２０の外表面の高さよりも低くすることもできる。図５のＤ部の拡大を図６に示す。
突出部上部１１ａから、突出部縁部１１ｂにかけて、突出部１１の外表面は一定の曲率を有する滑らかな曲面となっており、また、弾性体２０もこの曲面に沿う形で、突出部１１の外表面に密接している。また、突出部１１を除く軸筒本体１０の外表面も一定の曲率を有する曲面となっている。なお、後述するように弾性体２０は不透明であることから、弾性体２０を通して軸筒本体１０を透視することができない。このため突出部１１を除く軸筒本体１０の外表面は、必ずしも曲面とする必要はない。但し、軸筒本体１０の透明度が高い場合等においては、突出部１１を通して突出部１１を除く軸筒本体１０の外表面を目視できる可能性があるため、突出部１１を除く軸筒本体１０の外表面も曲面としておくことが望ましい。更に望ましくは、この曲面を一定の曲率を有するものとしておくことである。
【００１３】
本形態においては、弾性体２０は不透明、突出部１１は有色透明で形成されている。軸筒本体１０の外方から図中矢印Ｇの方向より、突出部１１を通して軸筒本体１０の内部を目視すると、接触面３０が目視できるような構造となっている。この場合も接触面３０が曲面であるため、接触面３０からの反射光が減じ、デザイン阻害の可能性が減少する。
【００１４】
図７は、図１に示した軸筒本体１０にリフィール５０を収納したボールペンを示した縦断面図である。内部のリフィール５０は、概略、筆記チップ５１と、内部にインクが収納されたインク収納管５２とから構成されている。そして、筆記チップ５１よりインク収納管５２の内部のインクが吐出する。リフィール５０は、半透明に形成されており、有色透明に形成された突出部１１から内部のインク残量を把握可能となっている。さらに、本ボールペンは、いわゆるノック式のボールペンを示したものであり、軸筒本体１０の後端に設けられたノック機構６０により、内部のリフィール５０が先端開口１２を通じて出没する。なお、ノック式筆記具に限られず、キャップ式筆記具であっても、本発明を適用できることはいうまでもない。
【図面の簡単な説明】
【００１５】
【図１】本発明の第１の実施形態を示す正面図である。
【図２】図１のＡ−Ａ線断面図である。
【図３】図２のＢ−Ｂ線断面図である。
【図４】図３のＣ部拡大図である。
【図５】第２の実施形態を示す断面図である。
【図６】図５のＤ部拡大図である。
【図７】図１に示した軸筒本体にリフィールを収納した状態を示す縦断面図である。
【図８】従来の技術を示す断面図である。
【図９】図８の要部を示す一部拡大断面図である。
【符号の説明】
【００１６】
１０  軸筒本体
１１  突出部
１１ａ  突出部上部
１１ｂ  突出部縁部
１２  先端開口
１３  後端開口
１４  雌ネジ部
１５  縦リブ
２０  弾性体
２１  貫通孔
３０  接触面
５０  リフィール
５１  筆記チップ
５２  インク収納管
６０  ノック機構
【図１】
2005144772.tif 000003
【図２】
2005144772.tif 000004
【図３】
2005144772.tif 000005
【図４】
2005144772.tif 000006
【図５】
2005144772.tif 000007
【図６】
2005144772.tif 000008
【図７】
2005144772.tif 000009
【図８】
2005144772.tif 000010
【図９】
2005144772.tif 000011